(57)【要約】【課題】コンテンツの二次利用時の権利情報管理を効率化すると同時に権利情報の管理にかかるコストを削減する。【解決手段】領域権利情報登録部１０１はコンテンツ内の個々の領域ごとの権利情報を登録する。領域二次利用情報登録部１０２は異なるコンテンツの領域間の二次利用関係を登録する。領域権利・二次利用情報管理データベース１０３は領域権利情報ならびに領域二次利用情報とを保存・管理する。権利情報検索部１０４は検索条件としてコンテンツ中の領域を指定する情報を入力し、領域権利・二次利用情報管理データベースで管理された領域権利情報および領域二次利用情報から、指定された領域に関連する領域に対して登録された権利情報を検索結果として返す。【選択図】  図１
2004362209.tif 000002
【特許請求の範囲】
【請求項１】
コンテンツに関する権利情報を管理する権利情報管理装置であって、
コンテンツ内の個々の領域ごとの権利情報を登録する領域権利情報登録部と、
異なるコンテンツの領域間の二次利用関係を登録する領域二次利用情報登録部と、
前記領域権利情報登録部において登録された領域権利情報ならびに前記領域二次利用情報登録部において登録された領域二次利用情報とを保存・管理する領域権利・二次利用情報管理データベースと、
検索条件としてコンテンツ中の領域を指定する情報を入力し、前記領域権利・二次利用情報管理データベースで管理された領域権利情報および領域二次利用情報から、指定された領域に関連する領域に対して登録された権利情報を検索結果として返す権利情報検索部と、
を備えたことを特徴とする権利情報管理装置。
【請求項２】
コンテンツに関する権利情報を管理する権利情報管理方法であって、
検索条件としてコンテンツ中の領域を示す情報を入力する手順１と、
探索対象の領域についての領域権利情報を取得する手順２と、
探索対象の領域の製作にあたり二次利用された領域を取得する手順３と、
探索対象の領域の製作にあたり二次利用された領域を探索対象として前記手順２と３を繰り返し実施する手順４と、
取得した領域権利情報を出力する手順５と、
を有することを特徴とするコンテンツの権利情報管理方法。
【請求項３】
請求項２に記載の権利情報管理方法において、
探索対象の領域を二次利用して製作された領域を取得する手順６と、
探索対象の領域を二次利用して製作された領域を探索対象として前記手順２〜６を繰返し実施する手順７と、
を有することを特徴とするコンテンツの権利情報管理方法。
【請求項４】
請求項２または３に記載の権利情報管理方法において、
探索対象の領域とコンテンツ中で重複した領域を取得する手順を有することを特徴とするコンテンツの権利情報管理方法。
【請求項５】
請求項２または３に記載の権利情報管理方法において、
探索対象の領域が既に探索した別な領域を二次利用して製作した領域であるかどうかを判断する手順と、
該領域の領域権利情報が該領域の製作段階で新たに発生した権利情報であるかを判断する手順と、
探索対象の領域が既に探索した別な領域を二次利用して製作した領域であって該領域の領域権利情報が該領域の製作段階で新たに発生した権利情報である場合に該領域権利情報を探索結果から除外する手順と、
を有することを特徴とするコンテンツの権利情報管理方法。
【請求項６】
請求項１〜５のいずれか１項に記載の権利情報管理装置または管理方法における処理手順をコンピュータで実行可能に構成したことを特徴とするプログラム。
【請求項７】
請求項１〜５のいずれか１項に記載の権利情報管理装置または管理方法における処理手順をコンピュータに実行させるためのプログラムを、該コンピュータが読み取り可能な記録媒体に記録したことを特徴とする記録媒体。
【発明の詳細な説明】
【０００１】
【発明の属する技術分野】
本発明は、コンテンツに関する権利情報を管理する権利情報管理装置および管理方法に関する。
【０００２】
【従来の技術】
映像や音楽、写真、静止画など様々なコンテンツが利用されている。特に、近年ではデジタルコンテンツの流通が発展することによって、コンテンツを編集・加工して二次利用コンテンツを製作することが以前にまして容易となってきている。
【０００３】
しかし、アナログコンテンツ／デジタルコンテンツを問わず、コンテンツを二次利用する際の著作権を明確にする権利情報管理は煩雑であり、実際に容易に二次利用を行うことのできるのは、著作権などの権利が放棄されているか、あるいは著作権などの権利が特定の人物だけに保持されている場合などの一部のコンテンツだけにとどまっている。
【０００４】
このように煩雑であったコンテンツの権利情報管理を容易に行えるようにすることを目指し、ｃＩＤｆ［ｃＩＤｆ仕様書、第２０版、コンテンツＩＤフォーラム、ｈｔｔｐ：／／ｗｗｗ．ｃｉｄｆ．ｏｒｇ／（２００２）］などの標準化団体においても著作権情報の標準化が進められてきた。
【０００５】
ｃＩＤｆでは、コンテンツに対する著作権に関する情報項目の標準化を行い、コンテンツに対する著作権者が誰なのか、といった権利情報を統一的に管理する仕組みが考えられている。また、コンテンツ間の二次利用関係を管理する項目も定義され、あるコンテンツを製作する元になったコンテンツがどれなのかを容易に知ることができるようになっている。ｃＩＤｆの定義した規格に基づいたシステムも提案されている（例えば、非特許文献１参照）。
【０００６】
【非特許文献１】
著作権管理プラットフォーム［大村、黒川、山田、松浦、“デジタルコンテンツの著作権管理・保護プラットフォーム：著作権流通プラットフォーム”、ＮＴＴ技術ジャーナル、Ｖｏｌ．１４  Ｎｏ．１０，ｐｐ．１６−１９（２００２）］
【０００７】
【発明が解決しようとする課題】
ｃＩＤｆで定義された著作権情報の管理方法では、コンテンツ単位の二次利用関係のみを管理していた。コンテンツ単位の二次利用関係の情報だけでは、コンテンツに含まれる特定の一部分の領域のみを再利用したい場合に、著作権に関する情報がコンテンツ全体に対する情報としてしか得られないため、実際には処理する必要のない不要な著作権の情報が含まれており、権利情報管理に必要以上の手簡がかかることがあった。
【０００８】
例えば、映像・音楽コンテンツの一領域を再利用したい場合に、コンテンツに対して登録されている権利者（例えば番組の出演者）の全てがその領域に権利を持っているわけではなく、実際にその領域に対して権利を保持している（その領域に登場する出演者）のはその中の一部の権利者のみである場合が多く、実際にそのコンテンツを人間が閲覧することで、詳細な確認をした上で権利情報管理を行う必要があった。
【０００９】
また、ｃＩＤｆの標準とは別に、コンテンツの一領域であるセタメントに対して権利情報を登録することは容易に実現可能であったが、全てのセグメントに対して事前にそれぞれ権利情報の登録を行うことは、多大な管理コストを要し、現実的ではなかった。
【００１０】
本発明は、上記に鑑みてなされたもので、その目的とするところは、コンテンツに関する権利情報を容易に参照できるようにすることでコンテンツの二次利用時の権利情報管理を効率化すると同時に権利情報の管理にかかるコストを削減する権利情報管理装置、管理方法、プログラム及び該プログラムを記録した記録媒体を提供することにある。
【００１１】
【課題を解決するための手段】
上記目的を達成するため、請求項１等に記載の本発明は、コンテンツに関する権利情報を管理する権利情報管理装置であって、
コンテンツ内の個々の領域ごとの権利情報を登録する領域権利情報登録部と、異なるコンテンツの領域間の二次利用関係を登録する領域二次利用情報登録部と、前記領域権利情報登録部において登録された領域権利情報ならびに前記領域二次利用情報登録部において登録された領域二次利用情報とを保存・管理する領域権利・二次利用情報管理データベースと、検索条件としてコンテンツ中の領域を指定する情報を入力し、前記領域権利・二次利用情報管理データベースで管理された領域権利情報および領域二次利用情報から、指定された領域に関連する領域に対して登録された権利情報を検索結果として返す権利情報検索部とを備えたことを特徴とする。
【００１２】
また、請求項２等に記載の本発明は、コンテンツに関する権利情報を管理する権利情報管理方法であって、
検索条件としてコンテンツ中の領域を示す情報を入力する手順１と、探索対象の領域についての領域権利情報を取得する手順２と、探索対象の領域の製作にあたり二次利用された領域を取得する手順３と、探索対象の領域の製作にあたり二次利用された領域を探索対象として前記手順２と３を繰り返し実施する手順４と、取得した領域権利情報を出力する手順５とを有することを特徴とする。
【００１３】
また、請求項３等に記載の本発明は、請求項２に記載の権利情報管理方法において、探索対象の領域を二次利用して製作された領域を取得する手順６と、探索対象の領域を二次利用して製作された領域を探索対象として前記手順２〜６を繰返し実施する手順７とを有することを特徴とする。
【００１４】
また、請求項４等に記載の本発明は、請求項２または３に記載の権利情報管理方法において、探索対象の領域とコンテンツ中で重複した領域を取得する手順を有することを特徴とする。
【００１５】
また、請求項５等に記載の本発明は、請求項２または３に記載の権利情報管理方法において、探索対象の領域が既に探索した別な領域を二次利用して製作した領域であるかどうかを判断する手順と、該領域の領域権利情報が該領域の製作段階で新たに発生した権利情報であるかを判断する手順と、探索対象の領域が既に探索した別な領域を二次利用して製作した領域であって該領域の領域権利情報が該領域の製作段階で新たに発生した権利情報である場合に該領域権利情報を探索結果から除外する手順とを有することを特徴とする。
【００１６】
また、請求項６に記載の本発明は、請求項１〜５のいずれか１項に記載の権利情報管理装置または管理方法における処理手順をコンピュータで実行可能に構成したことを特徴とするプログラム。
【００１７】
また、請求項７に記載の本発明は、請求項１〜５のいずれか１項に記載の権利情報管理装置または管理方法における処理手順をコンピュータに実行させるためのプログラムを、該コンピュータが読み取り可能な記録媒体に記録したことを特徴とする記録媒体。
【００１８】
上記の請求項１，２，３等に記載の本発明は、領域ごとに権利情報を登録し、必要とする領域に限った権利情報を参照することにより、二次利用時の権利情報管理を効率化する。また、領域間の二次利用関係を登録し、権利情報参照時に関連するコンテンツの領域の権利情報をあわせて取得し、いずれかの親戚コンテンツに対して権利情報が入力されてさえいれば必要なコンテンツ領域についての権利情報を参照できるようにすることにより、権利情報登録にかかるコストを削減する。
【００１９】
また、請求項４等に記載の本発明は、領域の包含関係に基づいて関連するコンテンツの領域の探索を行うことにより、より効率的に権利情報の参照を行えるようにする。
【００２０】
また、請求項５等に記載の本発明は、権利情報に親コンテンツから継承されていない権利情報であるかどうかに基づいて権利情報の参照の必要性を判断し、不要な権利情報まで参照されることがないようにすることにより、より効率的に権利情報の参照を行えるようにする。
【００２１】
【発明の実施の形態】
本発明の実施形態を説明する前に、実施形態における対象とするコンテンツ、権利情報、二次利用について説明する。
【００２２】
（１）対象とするコンテンツ
以下の実施形態で対象とするコンテンツが映像コンテンツであるとして実施形態を記載するが、「部分領域を切り出して二次利用することの可能なコンテンツ」であればどのようなコンテンツであっても良い。例えば、音楽コンテンツなど時間軸に乗ったコンテンツ（時系列コンテンツ）であってもよいし、写真や絵画のような静止画コンテンツであって、画像の一部分を切り出して二次利用するような場合であってもよい。
【００２３】
また、これらのコンテンツが混合されているような場合であってもよい。すなわち、静止画コンテンツと音楽コンテンツと映像コンテンツを組み合わせて二次利用して、あらたな映像コンテンツが製作されているような場合であってもよい。
【００２４】
また、コンテンツの中の一部分のことを領域もしくはセグメントと呼ぶ。これは、例えばドラマの映像コンテンツのある１つのシーンであって、例えば該コンテンツの先頭から１分３０秒目から３分３０秒目までの部分映像であってもよい。あるいは、静止画像の左側半分の部分画像であってもよい。コンテンツ中の任意の一部分であって構わないことは言うまでもない。
【００２５】
（２）権利情報
以下の実施形態における領域権利情報としては、その領域の権利に関する情報が記載されるものであればどのような情報をを持っていてもよく、例えば次の様な情報であってもよい。
【００２６】
・著作権者・著作隣接権者が誰であるのか
・著作人格権をもつ出演者などが誰であるのか
・その領域を製作した製作者（監督・カメラマンなど製作に関わった人物）が誰であるのか
・その領域で使用しているＢＧＭの権利を持っている者（作曲者・作詞者・演奏家・音楽出版社・レコード会社など）が誰であるのか
また、これらの情報が、権利種別と権利保持者と権利内容の詳細の組で表されていてもよい。権利保持者の情報として、氏名、連絡先が含まれていてもよい。
【００２７】
また、これらの情報の構成例として、ｃＩＤｆ［ｃＩＤｆ仕様書  第２０版、コンテンツＩＤフォーラム、ｈｔｔｐ：／／ｗｗｗ．ｃｉｄｆ．ｏｒｇ／（２００２）］のメタデータ項目を用いていても良い。
【００２８】
さらに、領域権利情報は固有の領域ごとでなく、複数の領域（セグメントグループ）に対して一括して登録されていても良い。
【００２９】
（３）二次利用
以下の実施形態における「編集再利用」「二次利用」としては、元になるコンテンツの領域を何らかの形で利用して新しいコンテンツの領域が製作されているならばどのような利用の形態であっても構わない。
【００３０】
例えば、元になるコンテンツの領域を分割し、再構成して新しいコンテンツの領域が製作されていても構わない。あるいは、元になるコンテンツの領域を改変せずにそのまま新しいコンテンツの領域として利用するものであってもよい。
【００３１】
また、元になるコンテンツの領域に対し、例えばＢＧＭや解説などを追加するような形で利用されていても構わない。もしくは、異なるコンテンツの複数の領域を元に、新しいコンテンツ（子コンテンツ）の領域が製作されていても構わない。
【００３２】
（実施形態１）
本実施形態の権利情報管理装置の構成例を図１に示す。権利情報管理装置（１００）は、コンテンツ内の個々の領域ごとの権利情報を登録する領域権利情報登録部（１０１）と、異なるコンテンツの領域間の二次利用関係を登録する領域二次利用情報登録部（１０２）と、領域権利情報登録部（１０１）において登録された領域権利情報ならびに領域二次利用情報登録部（１０２）において登録された領域二次利用情報とをデータベースとして保存・管理する領域権利・二次利用情報管理ＤＢ（１０３）と、検索条件として領域を指定する情報を入力し、領域権利・二次利用情報管理ＤＢ（１０３）にて管理された領域権利情報および領域二次利用情報から指定された領域に関連する権利情報を検索結果として返す権利情報検索部（１０４）とから構成される。
【００３３】
以上の構成になる権利情報管理装置（１００）を利用した権利情報管理を以下に説明する。
【００３４】
（１Ａ）領域権利情報・領域二次利用情報の登録
権利情報検索に先立ち、予め権利情報管理装置（１００）に対象とするコンテンツの領域権利情報及び領域二次利用情報について登録する。
【００３５】
例えば、図２に示すような領域権利情報及び領域二次利用情報を登録する。ここで、図２は領域権利情報及び領域二次利用情報の一例を示すものであり、任意の領域権利情報及び領域二次利用情報であっても構わないことは言うまでもない。
【００３６】
図２では４つのコンテンツＣ０００１（２１０）〜Ｃ０００４（２４０）に関する領域権利情報および領域二次利用情報の概要を示している。
【００３７】
図中、二重線の長方形がそれぞれコンテンツを表す。コンテンツに重ねて描かれた一重線の長方形（例えば２１１）が、コンテンツのなかのある領域を示す。具体的には、コンテンツＣ０００１（２１０）には領域Ｓ００１１（２１１）および領域Ｓ００１２（２１２）が含まれ、コンテンツＣ０００２（２２０）には領域Ｓ００２１（２２１）および領域Ｓ００２２（２２２）が含まれ、コンテンツＣ０００３（２３０）には領域Ｓ００３１（２３１）が含まれ、コンテンツＣ０００４（２４０）には領域Ｓ００４１（２４１）が含まれることを表す。
【００３８】
領域Ｓ００１２（２１２）および領域Ｓ００２１（２２１）にはそれぞれ領域権利情報１（２１９）および領域権利情報２（２２９）が付加されている。
【００３９】
ここで、領域権利情報として、例えば領域権利情報１（２１９）においては、その領域についての権利を持つ者の情報として「阿部一郎」氏が著作権を持ち、「井上次郎」氏が出演者としての権利を持つことが示されている。これは、例えば、コンテンツＣ０００１（２１０）の中で領域Ｓ００１２（２１２）においては、「阿部一郎」氏の作曲した音楽がＢＧＭとして使用され、「井上次郎」氏が出演していることを表している。領域権利情報としては、その領域に関する権利者に関する情報が記載されるものであればどのような情報をを持っていてもよく、例えば権利者の名前と権利種別、権利詳細内容の組を複数持っていても良い。
【００４０】
図中、領域間に記載された矢印は、領域間に二次利用の関係があることを示している。例えば、領域Ｓ００１１（２１１）から領域Ｓ００２１（２２１）に引かれた矢印は、コンテンツＣ０００２（２２０）の領域Ｓ００２１（２２１）の部分を製作するにあたり、コンテンツＣ０００１（２１０）の領域Ｓ００１１（２１１）の部分を編集し、例えば他の映像と組み合わせるなどして再利用したということを示す。例えば、コンテンツＣ０００１（２１０）の領域Ｓ００１１（２１１）がプロ野球の中継映像であり、コンテンツＣ０００２（２２０）の領域Ｓ００２１（２２１）が該中継映像を元に製作されたニュース番組映像である場合などに相当する。同様に、領域Ｓ００１１（２１１）と領域Ｓ００３１（２３１）、領域Ｓ００１２（２１２）と領域Ｓ００２２（２２２）、領域Ｓ００３１（２３１）と領域Ｓ００４１（２４１）の間には二次利用の関係があることが示されている。
【００４１】
領域権利情報登録部（１０１）は、領域権利情報（２１９）および領域権利情報（２２９）が入力され、それらの情報を領域権利・二次利用情報管理ＤＢ（１０３）に登録する。領域権利・二次利用情報管理ＤＢ（１０３）に登録され、管理される領域権利情報の構成例を表１に示す。
【００４２】
【表１】
2004362209.tif 000003
【００４３】
表１では、例えばコンテンツＣ０００１（２１０）の領域Ｓ００１２（２１２）について権利情報として「著作権者：阿部一郎出演：井上次郎」という領域権利情報が登録されている。
【００４４】
領域二次利用情報登録部（１０２）は、前記の二次利用の関係に関する情報が入力され、それらの情報を領域権利・二次利用情報管理ＤＢ（１０３）に登録する。領域権利・二次利用情報管理ＤＢ（１０３）に登録され、管理される領域二次利用情報の構成例を表２に示す。
【００４５】
【表２】
2004362209.tif 000004
【００４６】
表２では、例えばコンテンツＣ０００１（２１０）の領域Ｓ００１１（２１１）と、コンテンツＣ０００２（２２０）の領域Ｓ００２１（２２１）との間に領域二次利用の関係があることが管理されている。ここで、「親」とは二次利用の元になっている領域であることを表し、「子」とは二次利用の結果新たに製作された領域であることを表す。また、二次利用関係の表現として、表２ではセグメンテーション識別子を用いて表現したが、コンテンツの先頭からの時間など、直接コンテンツ内の領域を表す情報を用いて表現されていても良い。例えば、コンテンツＣ０００１（２１０）の中の先頭から２分００秒の点から３分００秒の点までの区間の領域が親で、コンテンツＣ０００２（２２０）の領域Ｓ００２１（２２１）が子であるという二次利用関係が表現されていても良いし、コンテンツＣ０００１（２１０）の領域Ｓ００１１（２１１）が親で、コンテンツＣ０００２（２２０）の中の先頭から１分００秒の点から２分００秒の点までの区間の領域が子であるという二次利用関係が表現されていても良い。また、別な表現として、コンテンツＣ０００１（２１０）の中の先頭から２分００秒の点から３分００秒の点までの区間の領域が親で、コンテンツＣ０００２（２２０）の中の先頭から１分００秒の点から２分００秒の点までの区間の領域が子であるという二次利用関係が表現されていても良い。
【００４７】
領域権利・二次利用情報管理ＤＢ（１０３）では、これら領域権利情報・領域二次利用情報に付随する情報として、各領域がコンテンツの中でどのような部分であるかを示すセグメント情報が管理されていても良い。表３にセグメント情報の例を示す。
【００４８】
【表３】
2004362209.tif 000005
【００４９】
表３では、例えば、コンテンツＣ０００１（２１０）の領域Ｓ００１１（２１１）は、コンテンツＣ０００１（２１０）の中の先頭から２分００秒の点から３分００秒の点までの区間の領域を表していることを示している。ここでは、先頭からの時間で表現したが、対象としているコンテンツに応じた形式であればどのような形式であっても良いということはいうまでもない。例えば、映像の場合に先頭からのフレーム番号で表現されても良いし、静止画像の場合に矩形部分の座標値で表現されていてもよい。
【００５０】
（１Ｂ）権利情報検索
領域権利・二次利用情報管理ＤＢ（１０３）に基づいた権利情報検索について以下に説明する。
【００５１】
１）検索条件の入力
権利条件検索部（１０４）に検索条件として、権利情報の検索を行いたい対象のコンテンツ、領域を特定するコンテンツ識別子およびセグメント識別子を入力する。
【００５２】
例えば、コンテンツ識別子としてＣ０００３、セグメント識別子としてＳ００３１を入力する。これは、領域権利・二次利用情報管理ＤＢ（１０３）において管理されているコンテンツおよび領域を特定するコンテンツ識別子およびセグメント識別子であればどのような識別子であっても構わないことはいうまでもない。また、セグメント識別子のみでその指し示す領域がどのコンテンツに含まれているのかが自明な場合は、セグメント識別子のみを入力するのであっても構わない。また、例えばコンテンツの先頭からの時間など、直接コンテンツ内の領域を表す情報を入力するのであっても構わない。
【００５３】
２）領域権利情報取得
入力されたコンテンツ識別子およびセグメント識別子をキーとして、領域権利・二次利用情報管理ＤＢ（１０３）を検索することで、該領域に対応する領域権利情報を取得する。
【００５４】
例えば、前記の表１の領域権利情報からコンテンツ識別子Ｃ０００３、セグメント識別子Ｓ００３１をキーに検索を行い、領域権利情報「著作権者：小川五郎出演：加藤六郎」を取得する。
【００５５】
３）領域二次利用情報取得
入力されたコンテンツ識別子およびセグメント識別子をキーとして、領域権利・二次利用情報管理ＤＢ（１０３）を検索することで、該領域に対応する領域二次利用情報を取得する。
【００５６】
例えば、前記の表２の領域二次利用情報からコンテンツ識別子Ｃ０００３、セグメント識別子Ｓ００３１が親となる領域二次利用情報を検索し、対応する子であるコンテンツ識別子Ｃ０００４、セグメント識別子Ｓ００４１を取得し、表２の領域二次利用情報からコンテンツ識別子Ｃ０００３、セグメント識別子Ｓ００３１が子となる領域二次利用情報を検索し、コンテンツ識別子Ｃ０００１、セグメント識別子Ｓ００１１を取得する。
【００５７】
４）関連領域権利情報探索
上記の３）で得られたコンテンツ識別子、セグメント識別子のそれぞれについて、上記の２）、３）を繰り返すことで、関連領域権利情報の探索を行う。２）および３）では上記の１）で入力されたコンテンツ識別子およびセグメント識別子の代わりに、３）で得られたコンテンツ識別子、セグメント識別子のそれぞれを利用する。
【００５８】
例えば、３）で得られたコンテンツ識別子Ｃ０００４、セグメント識別子Ｓ００４１の組およびコンテンツ識別子Ｃ０００１、セグメント識別子Ｓ００１１の組の二つについてそれぞれ領域権利・二次利用情報管理ＤＢ（１０３）を検索し、該当する領域権利情報があれば取得する。
【００５９】
さらに、例えばコンテンツ識別子Ｃ０００１、セグメント識別子Ｓ００１１が親となる領域二次利用情報を検索し、対応する子であるコンテンツ識別子Ｃ０００２、セグメント識別子Ｓ００２１を取得する。同様に３）で得られた他のコンテンツ識別子、セグメント識別子についても領域二次利用情報を検索する。
【００６０】
・探索済み領域の除外
このとき、既に２）の領域権利情報取得処理を実施済みのコンテンツ識別子、セグメント識別子が検索結果として得られた場合は探索済みとして除外する。あるいは、３）で領域二次利用情報取得によりいったん領域二次利用情報を得た行について前記の表２の領域二次利用情報から一時的に削除することで、以降の３）の領域二次利用情報取得処理の対象から除外するようにされていてもよい。
【００６１】
ここで一時的な削除は、実際にデータ内容を削除しなくても、検索処理の対象から除外されればどのような方法を用いても構わない。例えば検索処理の対象から除外することを表すフラグ情報を設定するようにされていても構わない。
【００６２】
・関係のない領域の除外
またこのとき、３）においていったん探索対象の領域が親となっている領域、すなわちを探索対象の領域を二次利用して製作された領域であるとして取得された領域について、さらに３）の領域二次利用情報取得を行う場合においては、該領域を子とする領域、すなわち該領域を製作する際に二次利用した領域を取得しないようにされていても良い。
【００６３】
・探索の終了
上記の２）、３）を３）で未探索の領域二次利用情報が検索されなくなるまで繰り返す。あるいは、２）、３）を繰り返す回数を予め設定しておき、その回数（深さ）だけ探索を繰り返すようにされていてもよい。
【００６４】
５）取得した領域権利情報の出力
上記の２）、３）の繰返しの中で、２）の領域権利情報取得処理の結果得られた領域権利情報を検索結果として出力する。１）でコンテンツ識別子としてＣ０００３、セグメント識別子としてＳ００３１を入力した場合、表４の権利情報検索結果が出力される。
【００６５】
【表４】
2004362209.tif 000006
【００６６】
この出力結果から、コンテンツ識別子Ｃ０００３、セグメント識別子Ｓ００３１の領域に関連する権利情報としては、著作権者として「宇野三郎」氏および「小川五郎」氏、出演者として「江川四郎」氏と「加藤六郎」氏が関連している可能性があることがわかり、コンテンツ識別子Ｃ０００３、セグメント識別子Ｓ００３１の領域に関する権利情報管理を効率的に実施することができる。
【００６７】
（実施形態２）
権利情報管理装置（１００）を利用した権利情報管理について説明する。本実施形態は基本的な処理については実施形態１と同様であり、前実施形態１と異なる点について以下に説明する。
【００６８】
（２Ａ）領域権利情報・領域二次利用情報の登録
図３に登録する領域権利情報及び領域二次利用情報の例を示す。図３の領域権利情報及び領域二次利用情報を領域権利情報登録部（１０１）および領域二次利用情報登録部（１０２）を用いて権利情報管理装置（１００）に登録した際に、領域権利・二次利用情報管理ＤＢ（１０３）で管理される領域権利情報の例を表５に、領域権利・二次利用情報管理ＤＢ（１０３）で管理される領域二次利用情報の例を表６に、領域権利・二次利用情報管理ＤＢ（１０３）で管理されるセグメント情報の例を表７にそれぞれ示す。
【００６９】
【表５】
2004362209.tif 000007
【００７０】
【表６】
2004362209.tif 000008
【００７１】
【表７】
2004362209.tif 000009
【００７２】
図３は図２の領域権利情報及び領域二次利用情報とほぼ同様の記述方法で記載されている。
【００７３】
（２Ｂ）重複した領域についての権利情報探索
図３において、コンテンツＣ０００１（７１０）について、領域Ｓ００１３（７１３）は、領域Ｓ００１１（７１１）と領域Ｓ００１２（７１２）とに領域が重複するような形で定義されている。上記の表７には、領域Ｓ００１３（７１３）の始点時間が２分３０秒、終点時間が５分３０秒であり、領域Ｓ００１１（７１１）（２分００秒〜３分００秒）の後半部分と重複し、また、領域Ｓ００１２（７１２）（４分００秒〜５分００秒）が領域Ｓ００１３（７１３）の中に含まれていることが示されている。
【００７４】
重複した領域がある場合の権利情報検索について以下に説明する。
【００７５】
１）検索条件の入力
検索条件の入力手順については実施形態１の権利情報検索の手順１）と同様である。例えば、コンテンツ識別子としてＣ０００１、セグメント識別子としてＳ００１３を入力する。
【００７６】
２）重複した領域の取得
領域権利・二次利用情報管理ＤＢ（１０３）に管理されたセグメント情報を参照することで、与えられた領域と重複した部分を持つ領域のセグメント識別子を取得する。例えば、領域Ｓ００１３（７１３）については、領域Ｓ００１２（７１２）と領域が重複しているため、セグメント識別子Ｓ００１２を取得する。また、Ｓ００１１（７１１）の後半部分と領域が重複していることからセグメント識別子Ｓ００１１も取得するようにしても良い。このように、領域が完全に内包されているものだけを取得しても良いし、一部分でも重複しているものを全て取得するようにしても良い。以下はセグメント識別子Ｓ００１２だけを取得した場合として説明する。
【００７７】
３）領域権利情報取得
上記の１）で入力されたコンテンツ識別子とセグメント識別子の組に合わせ、１）で入力されたコンテンツ識別子と２）で取得したセグメント識別子の組を対象にして実施形態１の権利情報検索の手順２）と同様に領域権利情報の取得を行う。例えば、領域Ｓ００１３（７１３）に対する領域権利情報とあわせて領域Ｓ００１２（７１２）に対する領域権利情報（７１９）が取得される。
【００７８】
４）領域二次利用情報取得
領域二次利用情報取得については実施形態１の権利情報検索の手順３）と同様である。ただし、入力されたコンテンツ識別子とセグメント識別子の組に加えて、１）で入力されたコンテンツ識別子と、２）で取得したセグメント識別子の組についても同様に領域二次利用情報取得を行う。
【００７９】
５）関連領域権利情報探索
実施形態１の権利情報検索の手順４）と同様に、４）で得られたコンテンツ識別子、セグメント識別子のそれぞれについて、２）〜４）を繰り返すことで、関連領域権利情報の探索を行う。
【００８０】
上記の２）・３）・４）では１）で入力されたコンテンツ識別子およびセグメント識別子の代わりに、４）で得られたコンテンツ識別子、セグメント識別子のそれぞれを利用する。探索済み領域の除外および探索の終了については実施形態１の権利情報検索の手順４）と同様である。
【００８１】
６）取得した領域権利情報の出力
上記の２）〜４）の繰返しの中で、３）の領域権利情報取得処理の結果得られた領域権利情報を検索結果として出力する。１）でコンテンツ識別子としてＣ０００１、セグメント識別子としてＳ００１３を入力した場合、下記の権利情報検索結果が出力される。
【００８２】
コンテンツ識別子：Ｃ０００１  セグメント識別子：Ｓ００１２  権利情報：著作権：「阿部一郎」、出演：「井上次郎」
（２Ｃ）非継承権利情報の登録と探索
図３において、コンテンツＣ０００３（７３０）の領域Ｓ００３１（７３１）に対する領域権利情報（７３９）については、コンテンツＣ０００１（７１０）の領域Ｓ００１３（７１３）から引き継いたものではなく、領域Ｓ００３１（７３１）の製作段階で新たに発生した権利情報であることを示すため、「（非継承）」の記載がある。これを示すため、領域権利・二次利用情報管理ＤＢ（１０３）で管理される領域権利情報（表５）において、「非継承フラグ」の欄が設けられており、上記事実がある場合、領域権利情報登録部（１０１）による権利情報登録の際に、あらかじめ該フラグを設定しておく。
【００８３】
これは、例えば、領域Ｓ００１３（７１３）がニュースの映像素材であって、領域Ｓ００３１（７３１）を製作するにあたり、新たに「小川五郎」氏作曲の音楽をＢＧＭとして追加し、「加藤六郎」氏がアナウンサーとして領域Ｓ００１３（７１３）の映像素材に対する解説を行っている映像が収録されているような場合に相当する。
【００８４】
非継承権利情報がある場合の権利情報検索について以下に説明する。
【００８５】
１）検索条件の入力検索条件の入力手順については実施形態１の権利情報検索の手順１）と同様である。例えば、コンテンツ識別子としてＣ０００１、セグメント識別子としてＳ００１３を入力する。
【００８６】
２）領域権利情報取得
領域権利情報取得の手順については実施形態１の権利情報検索の手順２）と同様である。
【００８７】
３）領域二次利用情報取得
領域二次利用情報の取得の手順については実施形態１の権利情報検索の手順３）と同様である。例えば、コンテンツ識別子Ｃ０００１、セグメント識別子Ｓ００１３を親とする領域として、コンテンツ識別子Ｃ０００３、セグメント識別子Ｓ００３１が取得される。
【００８８】
４）関連領域権利情報探索
実施形態１の権利情報検索の手順４）と同様に、３）で得られたコンテンツ識別子、セグメント識別子のそれぞれについて２）、３）を繰り返すことで、関連領域権利情報の探索を行う。２）、３）では１）で入力されたコンテンツ識別子およびセグメント識別子の代わりに、３）で得られたコンテンツ識別子、セグメント識別子のそれぞれを利用する。
【００８９】
ここで、２）で領域権利情報を取得する際、その領域が３）において、既に探索した別な領域の領域の子であるとして取得された場合で、該領域の領域権利情報が「非継承」であると指定されている場合は、その領域権利情報を取得しない。
【００９０】
例えば、３）においてコンテンツ識別子Ｃ０００１、セグメント識別子Ｓ００１３を親とする領域として、コンテンツ識別子Ｃ０００３、セグメント識別子Ｓ００３１が取得され、２）においてコンテンツ識別子Ｃ０００３、セグメント識別子Ｓ００３１の領域権利情報を取得する場合、コンテンツ識別子Ｃ０００３、セグメント識別子Ｓ００３１の領域権利情報が「非継承」であると指定されているために、該領域権利情報は取得しない。これは、該領域権利情報が「非継承」であることから、コンテンツ識別子Ｃ０００１、セグメント識別子Ｓ００１３に関連する権利情報としては不適切であるからである。
【００９１】
探索済み領域の除外および探索の終了については実施形態１の権利情報検索の手順４）と同様である。
【００９２】
５）取得した領域権利情報の出力取得した領域権利情報の出力の手順については、実施形態１の権利情報検索の手順５）と同様である。
【００９３】
なお、本発明は、図２、３に示した方法又は図１に示した装置の一部又は全部の処理機能をプログラムとして構成してコンピュータを用いて実現すること、あるいは図１〜図３で示した処理をプログラムとして構成してコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００９４】
【発明の効果】
本発明によれば、以下の効果がある。
【００９５】
（１）必要なコンテンツ領域に限った権利情報を参照できるため、二次利用時の権利情報管理が効率化される。
【００９６】
（２）全てのコンテンツに対し逐一権利情報を登録しなくても、一部の権利情報を入力するだけで関連したコンテンツで権利情報を参照することができるため、権利情報登録にかかるコストを削減できる。
【図面の簡単な説明】
【図１】本発明の権利情報管理装置の構成例。
【図２】本発明の実施形態１における権利情報の関係図。
【図３】本発明の実施形態２における権利情報の関係図。
【符号の説明】
１００…権利情報管理装置
１０１…領域権利情報登録部
１０２…領域二次利用情報登録部
１０３…領域権利・二次利用情報管理ＤＢ
１０４…権利情報検索部
【図１】
2004362209.tif 000010
【図２】
2004362209.tif 000011
【図３】
2004362209.tif 000012